(57)【要約】【課題】あらかじめ登録した番号を簡単な操作でダイヤルすることができる情報処理装置および制御方法を提供する。【解決手段】情報処理装置は、ハンズフリーセット１００がインターネットプロトコル電話通信網に接続されていない待ち受け状態時に、音量調整ボタン１０４の押下によりハンズフリーセット１００から送信されたコマンドを受信した場合、あらかじめ記憶された電話番号の選択の切り替えを行い、リダイヤルボタン１０１の押下によりハンズフリーセット１００から送信されたコマンドを受信した場合、選択された電話番号への発信を行う。【選択図】図１
2008193149.tif 000002
【特許請求の範囲】
【請求項１】
音量調整ボタンおよび発信ボタンと、
近距離無線通信端末と無線通信を行う通信手段と、
インターネットプロトコル電話通信網に接続を行う接続手段と、
発信先の複数の電話番号を記憶した記憶手段と、
前記近距離無線通信端末が前記インターネットプロトコル電話通信網に接続されていない待ち受け状態時に、前記音量調整ボタンの押下により前記近距離無線通信端末から送信されたコマンドを受信した場合、前記記憶手段に記憶された電話番号の選択の切り替えを行う切替手段と、
前記切替手段による切替処理の後に、前記発信ボタンの押下により前記近距離無線通信端末から送信されたコマンドを受信した場合、選択された電話番号への発信を行う発信手段と、
具備することを特徴とする情報処理装置。
【請求項２】
請求項１に記載の情報処理装置において、
前記発信ボタンは、リダイヤルボタンであることを特徴とする情報処理装置。
【請求項３】
請求項１に記載の情報処理装置において、
前記音量調整ボタンは、音量アップボタンと音量ダウンボタンであり、前記音量アップボタンが押下された場合は、前記複数の電話番号を所定の順序で選択を切り替え、前記音量ダウンボタンが押下された場合は、前記複数の電話番号を前記所定の順序とは逆の順序で選択を切り替えることを特徴とする情報処理装置。
【請求項４】
請求項３に記載の情報処理装置において、
前記複数の電話番号を所定の順序および前記所定の順序と逆の順序のいずれかの順序で選択を切り替える場合、これらの順序の最後まで到達したときは、当該順序の最初に戻ることを特徴とする情報処理装置。
【請求項５】
請求項１に記載の情報処理装置において、
前記通信手段は、Bluetooth規格を用いた接続方式であることを特徴とする情報処理装置。
【請求項６】
請求項１に記載の情報処理装置において、
前記近距離無線通信端末は、ハンズフリープロファイルを備えている端末であることを特徴とする情報処理装置。
【請求項７】
音量調整ボタンおよび発信ボタンと、近距離無線通信端末と無線通信を行う通信手段と、インターネットプロトコル電話通信網に接続を行う接続手段と、発信先の複数の電話番号を記憶した記憶手段とを備えた情報処理装置の制御方法であって、
前記近距離無線通信端末が前記インターネットプロトコル電話通信網に接続されていない待ち受け状態時に、前記音量調整ボタンの押下により前記近距離無線通信端末から送信されたコマンドを受信した場合、前記記憶手段に記憶された電話番号の選択の切り替えを行う切替ステップと、
前記切替手段による切替処理の後に、前記発信ボタンの押下により前記近距離無線通信端末から送信されたコマンドを受信した場合、選択された電話番号への発信を行う発信ステップと、
有することを特徴とする制御方法。
【発明の詳細な説明】
【技術分野】
【０００１】
本発明は、近距離無線端末と無線通信を行うパーソナルコンピュータのような情報処理装置および制御方法に関する。
【背景技術】
【０００２】
近年、無線接続を用いたハンズフリー端末が開発されてきている。このハンズフリー端末は、携帯電話やパーソナルコンピュータ等と無線接続され、通話等を行うものであり、耳に装着して利用する端末等が市販されている。
【０００３】
これらのハンズフリー端末には、リダイヤルボタンが装備されており、このリダイヤルボタン１０１の押下の回数により、過去にダイヤルした電話番号が切り替わり、所望の電話番号が表示されると、通話ボタンを押してダイヤルを行う（特許文献１参照）。
【特許文献１】特開平１０−２００６２１号公報
【発明の開示】
【発明が解決しようとする課題】
【０００４】
しかし、特許文献１の技術では、あらかじめ登録した電話番号を発信することはできない。また、リダイヤル先を表示画面で確認することは必須となる。
【０００５】
本発明は上述の事情を考慮してなされたものであり、あらかじめ登録した番号を簡単な操作でダイヤルすることができる情報処理装置および制御方法を提供することを目的とする。
【課題を解決するための手段】
【０００６】
上記目的を達成するために、本発明の一態様によれば、音量調整ボタンおよび発信ボタンを備えた近距離無線通信端末と無線通信を行う通信手段と、インターネットプロトコル電話通信網に接続を行う接続手段と、発信先の複数の電話番号を記憶した記憶手段とを備えた情報処理装置であって、前記近距離無線通信端末が前記インターネットプロトコル電話通信網に接続されていない待ち受け状態時に、前記音量調整ボタンの押下により前記近距離無線通信端末から送信されたコマンドを受信した場合、前記記憶手段に記憶された電話番号の選択の切り替えを行う切替手段と、前記切替手段による切替処理の後に、前記発信ボタンの押下により前記近距離無線通信端末から送信されたコマンドを受信した場合、選択された電話番号への発信を行う発信手段と具備することを特徴とする情報処理装置が提供される。
【発明の効果】
【０００７】
本発明によれば、あらかじめ登録した番号を簡単な操作でダイヤルすることができる。
【発明を実施するための最良の形態】
【０００８】
以下、図面を参照して本発明の実施形態を説明する。  
図１に示すように、コンピュータ１０の本体側は薄い箱形の筐体を有しており、その上面には、キーボード１３、パームレスト上にはタッチパッド３５、および左右２つのボタン、メール等の各種ショートカットボタン、音量制御ボタン、電源ボタン１４、スピーカ等が配置されている。また、本体の側面には、光学ドライブ等が設けられている。そして、パームレスト中には、近距離無線通信を行うＢｌｕｅｔｏｏｔｈ（登録商標）通信部２７が内蔵されている。なお、近距離無線通信として、本実施形態では、Ｂｌｕｅｔｏｏｔｈ（登録商標）を用いて説明しているが、無線ＬＡＮ等の他の無線を用いた接続方法を用いてもよい。
【０００９】
Ｂｌｕｅｔｏｏｔｈ（登録商標）通信部２７を介して接続を行う接続先デバイスには、例えば、ハンズフリーセット１００が挙げられる。ハンズフリーセット１００は、コンピュータ１０と同様に、図示しないＢｌｕｅｔｏｏｔｈ（登録商標）通信部を内蔵しており、リダイヤルボタン１０１、マイク１０２、スピーカ１０３、音量調整ボタン１０４等を備えている。なお、音量調整ボタン１０４は、例えば、上端側が音量アップ（ゲインアップ）ボタン、下端側が音量ダウン（ゲインダウン）ボタンとなっている。なお、本実施形態では、近距離無線通信端末として、ハンズフリーセット１００を例にして説明するが、これに限定されるものではなく、音量調整ボタン、発信ボタンに相当するボタン、およびハンズフリープロファイルを備えている端末であればよく、例えばヘッドセット等においても同様の効果を奏するものである。
【００１０】
図２は、コンピュータ１０の構成を示したブロック図である。
【００１１】
このパーソナルコンピュータ１０は、図示のように、ＣＰＵ（Central Processing Unit）１１、ノースブリッジ１２、主メモリ３８、グラフィクスコントローラ１７、表示装置（ＬＣＤ）１５、サウスブリッジ１６、ハードディスクドライブ（ＨＤＤ）２０、ＢＩＯＳ−ＲＯＭ２１、エンベデッドコントローラ／キーボードコントローラＩＣ（ＥＣ／ＫＢＣ）２２、および電源コントローラ（ＰＳＣ）２３、キーボード（ＫＢ）１３、タッチパッド３５、近距離無線通信を行うＢｌｕｅｔｏｏｔｈ（登録商標）通信部（以下、ＢＴ通信部とも称する）２７、ＩＰ（Internet Protocol）電話網接続部５０などを備えている。ＨＤＤ２０には、後述するＶＯＩＰ（Voice over Internet Protocol）連携アプリケーション、接続先電話番号等が記憶されており、ＩＰ電話網接続部５０を介してＩＰ電話の接続を制御する。
【００１２】
ノースブリッジ１２、グラフィクスコントローラ１７、サウスブリッジ１６の各々は、PCI EXPRESS規格に準拠したデバイス（コンポーネント）である。ノースブリッジ１２とグラフィクスコントローラ１７との間の通信は、ノースブリッジ１２とグラフィクスコントローラ１７との間に配設されたPCI EXPRESSリンク２１を介して実行される。各PCI EXPRESSリンクはシリアルインタフェースから構成される通信路であり、アップストリームレーンおよびダウンストリームレーンを含む。
【００１３】
ＣＰＵ１１は本コンピュータの動作を制御するプロセッサであり、ＨＤＤ２０から主メモリ３８にロードされる各種プログラム（オペレーティングシステム、ＶＯＩＰ連携アプリケーションプログラム等）を実行する。また、ＣＰＵ１１は、ＢＩＯＳ−ＲＯＭ２１に格納されたＢＩＯＳ（Basic Input Output System）も実行する。ＢＩＯＳはハードウェアを制御するためのプログラムである。また、ＢＩＯＳは、PCI Express 規格で規定されたActive State Power Management （ASPM）機能の実行を本コンピュータの動作モードに応じて動的に許可または禁止するためのＳＭＩ（System Management Interrupt）ルーチンを有している。
【００１４】
ノースブリッジ１２はＣＰＵ１１のローカルバスとサウスブリッジ１６との間を接続するブリッジデバイスである。ノースブリッジ１２には、主メモリ３８をアクセス制御するメモリコントローラも内蔵されている。また、ノースブリッジ１２は、PCI EXPRESSリンク２１を介してグラフィクスコントローラ１７との通信を実行する機能も有している。
【００１５】
グラフィクスコントローラ１７は本コンピュータのディスプレイモニタとして使用されるＬＣＤ１５を制御する表示コントローラである。サウスブリッジ１６は、ＬＰＣ（Low Pin Count）バス３０上のＢＴ通信部２７等の各デバイスの制御も実行する。
【００１６】
エンベデッドコントローラ／キーボードコントローラＩＣ（ＥＣ／ＫＢＣ）２２は、電力管理のためのエンベデッドコントローラと、キーボード（ＫＢ）１３およびタッチパッド３５を制御するためのキーボードコントローラとが集積された１チップマイクロコンピュータである。このエンベデッドコントローラ／キーボードコントローラＩＣ（ＥＣ／ＫＢＣ）２２は、ユーザによるパワーボタン２４の操作に応じて、電源コントローラ（ＰＳＣ）２３と共同して、本コンピュータ１０をパワーオン／パワーオフする機能を有している。さらに、エンベデッドコントローラ／キーボードコントローラＩＣ（ＥＣ／ＫＢＣ）２２は、本コンピュータに対するＡＣアダプタ２８の接続および取り外しを検出する機能も有している。
【００１７】
図３は、主メモリ３８にロードされ、ＣＰＵ１１によって実行されるＶＯＩＰ連携アプリケーション６０の機能ブロック図を示したものである。
【００１８】
ＶＯＩＰ連携アプリケーション６０は、ＩＰ電話網接続判定部６１と、コマンド実行部６２とを備える。ＩＰ電話網接続判定部６１は、ハンズフリーセット１００が、ＢＴ通信部２７およびＩＰ電話接続部５０を介してＩＰ電話網に接続されているかを判定する。すなわち、ハンズフリーセット１００が通話中であるか待ち受けの待機中であるかを判定する。コマンド実行部６２は、ハンズフリーセット１００から受信したコマンドを実行する。例えば、図４は、ハンズフリーセット１００等を模式化して示した図である。ハンズフリーセット１００は、音量のアップボタン１０４ａおよび音量のダウンボタン１０４ｂを備えている。
【００１９】
コンピュータ１０のＶＯＩＰ連携アプリケーション６０は、ハンズフリーセット１００から例えば音量のアップボタン１０４ａの押下により音量のアップのコマンドを受信した場合、ハンズフリーセット１００が通信中であれば、ハンズフリーセット１００からのスピーカーゲイン値情報を読み出し、読み出されたゲイン値情報に基づいて音量をアップさせ、ハンズフリーセット１００が待機中であれば、ＨＤＤ２０に記憶された接続先電話番号の選択の切り替えを行う。なお、ＨＤＤ２０に記憶された接続先電話番号は、あらかじめ登録された電話番号であり、複数の電話番号を登録可能である。また、これらの電話番号には、順序が付されており、順序に従って選択の切り替えが行われる。例えば、図５に示すように、接続相手先の電話番号として、Ａさん〜Ｄさん、最後の発信先（標準のデフォルト位置：通話後は常にこの位置に戻る）、および最後の発信先−１（最後から２番目の発信先）を登録する。
【００２０】
例えば、音量アップのコマンドを受信した場合は、「最後の発信先（標準のデフォルト位置）」からプラス（＋）の方向に選択が切り替わり、音量ダウンのコマンドを受信した場合は、マイナス（−）の方向に選択が切り替わるものとする。なお、選択されている電話番号は、表示手段であるＬＣＤ１５に表示可能であり、表示をオフにすることもできる。また図５に示すように色が付され現在の選択位置を認識できるようになっている。なお、上述した接続相手先の電話番号の代わりに、ボイスメールの再生機能を登録してもよい。
【００２１】
また、登録された接続先電話番号のリストの末尾、例えば、「Ａさん」が選択された状態で、さらに選択切り替えのコマンド（音量アップのコマンド）を受信した場合は、例えばラウンドロビン方式に従って、登録された接続先電話番号のリストの逆側（「最後−１の発信先」）に切り替わる。同様に、登録された接続先電話番号のリストの末尾が、例えば、「最後−１の発信先」であり、さらに音量ダウンのコマンドを受信した場合は、登録された接続先電話番号のリストの逆側（「Ａさん」）に切り替わる（なお、選択位置をリスト末尾から逆側に遷移させずに、リストの末尾から動かないようにすることもできる）。
【００２２】
ここで、ハンズフリーセット１００が待機中に、音量のアップボタン１０４ａの押下により音量のアップのコマンドを受信した場合は、例えば、「最後の発信先」からプラス（＋）方向（所定の順序）に接続先電話番号の選択の切り替えを行う。すなわち、「最後の発信先」から「Ｂさん」に接続先電話番号の選択の切り替えを行う。一方、ハンズフリーセット１００が待機中に、音量のダウンボタン１０４ｂの押下により音量のダウンのコマンドを受信した場合は、例えば、「最後の発信先」からマイナス（−）方向（所定の順序とは逆の順序）に接続先電話番号の選択の切り替えを行う。すなわち、「最後の発信先」から「Ｃさん」に接続先電話番号の選択の切り替えを行う。これらの音量のアップまたはダウンのコマンドを受信した後に、リダイヤルボタン１０１の押下によるコマンドを受信した場合は、選択されている接続先へ発信を行う。
【００２３】
次に、図６のフローチャートを参照して、本発明の実施形態に係る情報処理装置を適用した制御方法およびプログラムについて説明する。
【００２４】
ＶＯＩＰ連携アプリケーション６０は、現在のスピーカーゲイン値をＨＤＤ２０等に記憶し（ステップＳ１０１）、入力キー待ちの待機状態であるマルチプルウェイト状態とする。ＶＯＩＰ連携アプリケーション６０のＩＰ電話網接続判定部６１によって、ハンズフリーセット１００が、ＢＴ通信部２７およびＩＰ電話接続部５０を介してＩＰ電話網に接続されているかを判定する（ステップＳ１０２）。ＶＯＩＰ連携アプリケーション６０によって、ハンズフリーセット１００がＩＰ電話網に接続されていると判定されると、音量制御モードに移行し（ステップＳ１０３）、ハンズフリーセット１００からの音量アップボタンの押下による音量アップコマンドを受信すると、記憶したスピーカーゲイン値を読み出し、当該スピーカーゲイン値に従ってハンズフリーセット１００のスピーカー１０３の音量を所定値アップする。またハンズフリーセット１００からの音量ダウンボタンの押下による音量ダウンコマンドを受信すると、記憶したスピーカーゲイン値を読み出し、当該スピーカーゲイン値に従ってハンズフリーセット１００のスピーカー１０３の音量を所定値ダウンする。さらに、ハンズフリーセット１００からのリダイヤルボタン１０１の押下によるリダイヤルコマンドを受信すると、記憶した前回の発信先を読み出しダイヤルする。
【００２５】
一方、ステップＳ１０２で、ＶＯＩＰ連携アプリケーション６０によって、ハンズフリーセット１００がＩＰ電話網に接続されてない（待ち受け中）と判定されると、ステップＳ１０４で、ハンズフリーセット１００からの音量アップ（＋）ボタン１０４ａの押下による音量アップコマンドを受信した場合は、コマンド実行部６２によって電話番号の選択を例えばプラス（＋）方向に１つ進め、選択を切り替える（ステップＳ１０５：図５参照）。なお、デフォルトの選択位置は、図５に示すように最後の発信先が登録されている位置であり、通話後は、常にデフォルトの選択位置に設定される。
【００２６】
次に、ＶＯＩＰ連携アプリケーション６０は、登録された電話番号および選択された電話番号の表示設定がオンになっている場合は（ステップＳ１０６のＹＥＳ）、図５に示すように、選択画面等を表示する（ステップＳ１０７）。一方、登録された電話番号および選択された電話番号の表示設定がオフになっている場合は（ステップＳ１０６のＮＯ）、選択画面等を非表示する（ステップＳ１０８）。
【００２７】
ステップＳ１０４で、受信したコマンドが、ハンズフリーセット１００からの音量アップ（＋）ボタン１０４ａの押下による音量アップコマンドではなく（ステップＳ１０４のＮＯ）、ハンズフリーセット１００からの音量ダウン（−）ボタン１０４ｂの押下による音量ダウンコマンドを受信した場合は（ステップＳ１０９のＹＥＳ）、コマンド実行部６２によって電話番号の選択を例えばマイナス（−）方向に１つ戻し、選択を切り替える（ステップＳ１１０：図５参照）。また、ステップＳ１０９で、受信したコマンドが、ハンズフリーセット１００からの音量ダウン（−）ボタン１０４ｂの押下による音量ダウンコマンドではなく（ステップＳ１０９のＮＯ）、ハンズフリーセット１００からのリダイヤルボタン１０１の押下によるリダイヤルコマンドを受信した場合（ステップＳ１１１）、ＩＰ電話網への接続を行うか否かを判別する（ステップＳ１１２）。ＶＯＩＰ連携アプリケーション６０がコンピュータ１０のユーザ等からの入力指示により、接続しない場合は（ステップＳ１１２のＮＯ）、表示モードを変更する（ステップＳ１１３）ためにステップＳ１０６に遷移する。一方、ステップＳ１１２で接続する場合は、ハンズフリーセット１００のスピーカー１０３のスピーカーゲイン値をデフォルトの値である例えば１０段階中の７に変更し（ステップＳ１１４）、選択されている発信先へ接続（ダイヤル）を行う（ステップＳ１１５）。なお、音量ボタンの押下によるコマンド受信がない場合は、図５に示すように、デフォルトの選択位置となり、リダイヤルボタンの押下によるリダイヤルコマンドを受け、コマンド実行部６２により、前回発信した発信先にダイヤルされる。
【００２８】
次に、登録された接続先電話番号のリストおよび選択された電話番号の表示がオンであれば（ステップＳ１１６のＹＥＳ）、表示を非表示にして（ステップＳ１１７）終了する。一方、登録された接続先電話番号のリストおよび選択された電話番号の表示がオンでなければ（ステップＳ１１６のＮＯ）、そのまま終了する。
【００２９】
以上、本発明によれば、ハンズフリー端末等の近距離無線通信端末に搭載されている最小限のボタンから、あらかじめ登録した番号を簡単な操作でダイヤルすることができる。
【００３０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３１】
【図１】本発明の一実施形態に係る情報処理装置およびハンズフリーセットを示した斜視図。
【図２】本発明の一実施形態に係る情報処理装置のシステム構成を示すブロック図。
【図３】ＶＯＩＰ連携アプリケーションを示した機能ブロック図。
【図４】ハンズフリーセット等を模式化して示した図。
【図５】あらかじめ登録された接続相手先の電話番号のリストを示す模式図。
【図６】本発明の実施形態に係る情報処理装置を適用した制御方法およびプログラムについて説明したフローチャート。
【符号の説明】
【００３２】
１１…ＣＰＵ、１７…グラフィクスコントローラ、１６…サウスブリッジ、２０…ハードディスク、２２…ＥＣ／ＫＢＣ、１００…ハンズフリーセット、１０１…リダイヤルボタン、１０２…マイク、１０３…スピーカー、１０４…音量調整ボタン
【図１】
2008193149.tif 000003
【図２】
2008193149.tif 000004
【図３】
2008193149.tif 000005
【図４】
2008193149.tif 000006
【図５】
2008193149.tif 000007
【図６】
2008193149.tif 000008